(57)【要約】【課題】複数の構成部品をコンパクトに収容し、二重ロック機構を設置するための空間を省スペース化し、防犯性を向上させる。【解決手段】施錠装置１００において、扉面２５に垂直な回転中心で錠箱に回転自在に支持され回転半径の外側に向かって突出する駆動腕３７を有したダルマ軸３５と、駆動腕３７の先端部３７ａを凹部６３に進入させてダルマ軸３５の回転に伴い錠箱３１から進退されるデッドボルト２１と、錠箱３１に揺動自在に設けられ進出状態におけるデッドボルト２１の凹部６３と同一側に形成されたロック部７３に揺動先端６７ａを配置してデッドボルト２１の後退を規制するストッパ６７と、デッドボルト２１に揺動自在に支持され駆動腕３７のデッドボルト後退方向の回転にて一端部が押下されるとともに、上昇する他端部がストッパ６７を押し上げてストッパのロック部に対するロックを解除する押し板７５とを設けた。【選択図】      図２
2010144421.tif 000002
【特許請求の範囲】
【請求項１】
扉面に垂直な回転中心で錠箱に回転自在に支持され回転半径の外側に向かって突出する駆動腕を有したダルマ軸と、
前記駆動腕の先端部を凹部に進入させて前記ダルマ軸の回転に伴い前記錠箱内でスライド移動しフロント板から進退されるデッドボルトと、
前記錠箱に揺動自在に設けられ、進出状態における該デッドボルトの前記凹部と同一側に形成されたロック部に揺動先端を配置して、前記デッドボルトの後退を規制するストッパと、
前記デッドボルトに揺動自在に支持され前記駆動腕のデッドボルト後退方向の回転にて一端部が押下されるとともに、上昇する他端部が前記ストッパを押し上げて該ストッパの前記ロック部に対するロックを解除する押し板と、
を具備したことを特徴とする施錠装置。
【請求項２】
請求項１記載の施錠装置であって、
錠箱内における前記デッドボルトの上側の空間部に、前記ダルマ軸、前記ストッパ、及び前記押し板が配設されることを特徴とする施錠装置。
【請求項３】
請求項１又は２記載の施錠装置であって、
前記デッドボルトには、上部が開口し、後方に前記凹部の連続する断面Ｕ字状の収容部が形成され、
該収容部に、前記押し板の一部分が揺動自在に収容されたことを特徴とする施錠装置。
【請求項４】
請求項１，２，３のいずれか１つに記載の施錠装置において、
前記ストッパにおける前記押し板との接触面に、該ストッパの押し上げ量を増加させるための凸部が垂設されたことを特徴とする施錠装置。
【発明の詳細な説明】
【技術分野】
【０００１】
本発明は、進出した施錠状態のデッドボルトに、ストッパを係止，ロックして後退を規制する二重ロック機構の設けられた施錠装置に関する。
【背景技術】
【０００２】
扉に設けられる施錠装置は、扉側の錠箱から進出させたデッドボルトを、開口枠側のストライクに進入させ、扉を開放不能な施錠状態とする。ストライクに進入したデッドボルトは、錠箱内において、進退機構部品である駆動腕にて突出状態にロックされる。しかし、駆動腕は、デッドボルトの後退動作にも利用されるため、より確実な施錠状態とするには、さらに別部材により、デッドボルトの後退を阻止することが望ましい。このような観点から、進出状態のデッドボルトを、二重にロックして信頼性の高い施錠を可能にした二重ロック機構の設けられた施錠装置が知られている（例えば、特許文献１，２，３参照）。
【０００３】
二重ロック機構を備えた施錠装置では、錠箱内において、デッドボルトの上方でダルマ軸が回転自在に配置される。ダルマ軸は、扉屋外面に表出するシリンダ錠や、扉屋内面に表出するサムターンと接続され、これらの施解錠操作にて回転される。ダルマ軸には回転半径方向外側に向かって突出する駆動腕が設けられ、駆動腕は先端部をデッドボルトの凹部に進入させて、ダルマ軸の回転に伴いデッドボルトを進退させる。
【０００４】
錠箱内には、デッドボルトを挟みダルマ軸と反対側となる下方に、ストッパが揺動自在に設けられる。ストッパは、ダルマ軸と連結手段（ダルマ駆動バネ、可動ピン、又は解除ピン等）を介して連動自在となり、デッドボルトの進出状態ではデッドボルトのロック部に揺動先端をロックしてデッドボルトの後退を規制する一方、ダルマ軸が解錠方向に回転されると、連結手段を介してロック解除方向に揺動されてロック部から外れ、デッドボルトの後退を可能とする。つまり、進出したデッドボルトには、駆動腕とストッパの双方が二重にロックすることで、防犯性の高い施錠が可能となった。
【特許文献１】特開２００２−２５０１６０号公報
【特許文献２】特開２００３−１４８０２３号公報
【特許文献３】特開２００７−１９８０５４号公報
【発明の開示】
【発明が解決しようとする課題】
【０００５】
しかしながら、従来の二重ロック機構を備えた施錠装置は、デッドボルトの上側にダルマ軸、デッドボルトを跨いで連結手段、デッドボルトの下側にストッパが配設されるため、錠箱内においてデッドボルトの上側と下側の双方に収容空間を確保する必要があり、大きな占有スペースが必要となった。このため、他の機構を増設すると、施錠装置全体が大型となることから、二重ロック機構に対するコンパクト化の要請があった。また、デッドボルトを挟んで、ダルマ軸の反対側にストッパが設けられていたため、ダルマ軸とストッパを連動させる連結手段を、デッドボルトを跨いで設けなければならず、連結手段の大きな可動スペースが必要となり、これも二重ロック機構の占有スペースを大きくする要因となった。さらに、連結手段が大きな可動スペースを要して動作することは、外部からの部材の挿入による不正なロック解除の危険にさらされる虞が生じ、防犯性上好ましくなかった。
【０００６】
本発明は上記状況に鑑みてなされたもので、複数の構成部品をコンパクトに収容できる施錠装置を提供し、もって、二重ロック機構を設置するための空間の省スペース化、防犯性の向上を図ることを目的とする。
【課題を解決するための手段】
【０００７】
次に、上記の課題を解決するための手段を、実施の形態に対応する図面を参照して説明する。
本発明の請求項１記載の施錠装置は、扉面２５に垂直な回転中心Ｇで錠箱３１に回転自在に支持され回転半径の外側に向かって突出する駆動腕３７を有したダルマ軸３５と、
前記駆動腕３７の先端部３７ａを凹部６３に進入させて前記ダルマ軸３５の回転に伴い前記錠箱３１内でスライド移動しフロント板１５から進退されるデッドボルト２１と、
前記錠箱３１に揺動自在に設けられ、進出状態における該デッドボルト２１の前記凹部６３と同一側に形成されたロック部７３に揺動先端６７ａを配置して、前記デッドボルト２１の後退を規制するストッパ６７と、
前記デッドボルト２１に揺動自在に支持され前記駆動腕３７のデッドボルト後退方向の回転にて一端部７５ａが押下されるとともに、上昇する他端部７５ｂが前記ストッパ６７を押し上げて該ストッパ６７の前記ロック部７３に対するロックを解除する押し板７５と、
を具備したことを特徴とする。
【０００８】
この施錠装置では、従来、デッドボルト２１を挟み、ダルマ軸３５の反対側に配置されていたストッパ６７が、デッドボルト２１とダルマ軸３５の間に配置され、さらに、デッドボルト２１に対するストッパ６７のロックを解除する押し板７５をデッドボルト２１に設けたので、複数の構成部品がコンパクトに収容可能となる。また、従来の連結手段の代わりとなって動作する押し板７５が小さくなり、デッドボルト２１を跨ぐ必要がないので、外部からの部材の挿入による不正なロック解除の危険にさらされる虞が低減する。
【０００９】
請求項２記載の施錠装置は、請求項１記載の施錠装置であって、
錠箱内における前記デッドボルト２１の上側の空間部に、前記ダルマ軸３５、前記ストッパ６７、及び前記押し板７５が配設されることを特徴とする。
【００１０】
この施錠装置では、デッドボルト２１の上側の空間部に、二重ロック機構の構成部品が全て収容され、従来、デッドボルト２１の下側に必要であった、ストッパ６７を設置するための占有スペースが不要となる。
【００１１】
請求項３記載の施錠装置は、請求項１又は２記載の施錠装置であって、
前記デッドボルト２１には、上部が開口し、後方に前記凹部６３の連続する断面Ｕ字状の収容部８３が形成され、
該収容部８３に、前記押し板７５の一部分が揺動自在に収容されたことを特徴とする。
【００１２】
この施錠装置では、押し板７５の一部分がデッドボルト２１の内部に収容されることで、その分の収容空間を錠箱内に別途確保する必要がなくなる。つまり、押し板７５の収容空間とデッドボルト２１の収容空間の共用が可能となる。また、押し板７５の殆どが収容部８３に囲われ、外部から部材を挿入することによる不正なロック解除がし難くなる。
【００１３】
請求項４記載の施錠装置は、請求項１，２，３のいずれか１つに記載の施錠装置において、
前記ストッパ６７における前記押し板７５との接触面８７に、該ストッパ６７の押し上げ量を増加させるための凸部８９が垂設されたことを特徴とする。
【００１４】
この施錠装置では、押し板７５の他端部７５ｂが、ストッパ６７の接触面８７に接している状態から凸部８９に接近し、凸部８９の裾部から凸部８９の頂部に摺接する際、他端部７５ｂが単に接触面８７のみに摺接する場合に比べ、裾部から頂部までの高低差分、ストッパ６７の揺動角度が増大する。これにより、押し板７５の少ない揺動量で、ストッパ６７の押し上げ量を大きく、すなわち、ロックの解除を確実にできる。
【発明の効果】
【００１５】
本発明に係る請求項１記載の施錠装置によれば、駆動腕を有したダルマ軸と、駆動腕の先端部を凹部に進入させて進退するデッドボルトと、ロック部に揺動先端を配置してデッドボルトの後退を規制するストッパと、駆動腕の回転にて他端部が上昇してストッパのロックを解除する押し板とを備えたので、複数の構成部品をコンパクトに収容でき、錠箱内における二重ロック機構を設置するための空間を省スペース化できる。また、二重ロックの解除をし難くして、防犯性を高めることができる。
【００１６】
請求項２記載の施錠装置によれば、錠箱内におけるデッドボルトの上側の空間部に、ダルマ軸、ストッパ、及び押し板を配設したので、デッドボルトの下側の空間部を他部材の収容空間に有効利用することができる。
【００１７】
請求項３記載の施錠装置によれば、デッドボルトに、上部が開口し、後方に凹部の連続する断面Ｕ字状の収容部を形成し、この収容部に、押し板の一部分を揺動自在に収容したので、押し板をデッドボルトに収容する分、錠箱内における二重ロック機構の占有スペースを小さくできる。また、押し板が収容部にて囲えるので、防犯性を向上させることができる。
【００１８】
請求項４記載の施錠装置によれば、ストッパにおける押し板との接触面に、ストッパの押し上げ量を増加させるための凸部を垂設したので、押し板の少ない揺動量で、ストッパをロック部から確実にロック解除することができ、二重ロック機構のコンパクト化に有効となる。
【発明を実施するための最良の形態】
【００１９】
以下、本発明に係る施錠装置の好適な実施の形態について図面を参照して詳細に説明する。
図１は本発明に係る施錠装置の設けられた扉の外観図である。
本実施の形態による施錠装置１００は、扉１１の開閉先端（戸先）側に内蔵され、固定ネジ１３，１３によって取り付けられたフロント板１５によって覆われている。フロント板１５にはデッドボルト用開口穴１７、ラッチボルト用開口穴１９が形成され、それぞれの開口穴１７、１９はデッドボルト２１、ラッチボルト２３を進退可能に突出させる。扉１１の屋外面２５にはラッチボルト２３を進退操作するレバー２７、施錠装置１００に施解錠操作力を入力するシリンダ錠２９が設けられている。なお、扉１１の屋内面には施錠装置１００に上記同様の施解錠操作力を入力する不図示のサムターンが設けられている。
【００２０】
図２は図１に示した施錠装置の内部側面図である。
施錠装置１００は、錠箱３１を有し、錠箱３１の前面にはフロント裏板３３が固定される。錠箱３１は、扉１１の戸先に内蔵され、フロント裏板３３が扉１１の小口にネジ固定される。フロント裏板３３は、上記のフロント板１５にて表面が覆われることとなる。なお、施錠装置１００は、上記ラッチボルト２３の進退機構を備えるが、本明細書ではその説明は省略し、本発明の特徴である二重ロック機構の構成部分について説明する。
【００２１】
錠箱３１内には扉面（屋外面２５）に垂直な回転中心Ｇで回転自在にダルマ軸３５が支持され、ダルマ軸３５は回転半径の外側に向かって突出する駆動腕３７を有している。ダルマ軸３５には嵌合穴３９が形成され、嵌合穴３９はシリンダ錠２９の出力軸であるテールピース（図示せず）や、サムターンのサムターン軸（図示せず）を嵌入する。ダルマ軸３５は、嵌入したテールピースの回転によって、デッドボルト２１を進退させる入力部材となる。嵌合穴３９は、テールピース等に対し所定の遊び角度を有して相対回転を規制するため、十字穴の中心を点対称に一対の扇部で切除した形状、所謂ダルマ形状で形成される。
【００２２】
ダルマ軸３５の外周には突部４１が突設され、突部４１はクリック板４３の先端に接する。クリック板４３は、基端が支持軸４５によって回動自在に支持され、クリックバネ４７にて同図の時計回りに付勢される。つまり、ダルマ軸３５は、突部４１が、回転中心Ｇを通る仮想鉛直線の右側、又は左側に節度感（クリック感）を生じさせて選択的に付勢配置されるようになっている。選択的に付勢配置される駆動腕３７は、ダルマ軸３５を挟む左右に設けられた一対の規制軸４９，５１によって回転が規制される。
【００２３】
錠箱３１内には、ダルマ軸３５の下方に、デッドボルト２１が横方向（図２の左右方向）にスライド自在に設けられる。デッドボルト２１は、進退方向に長いガイド穴５３を錠箱内壁面３１ａに植設したガイドピン５５に係合し、横方向の移動がガイドされる。また、デッドボルト２１は錠箱内壁面３１ａに突設された突条５７に側面が支持され、錠箱内壁面３１ａに対して接触面積を小さくしている。さらに、デッドボルト２１の後端（図中右端）側面には、ガイド片５９ｂが突設され、上記突条５７にて横方向の移動がガイドされる。また、このデッドボルト２１の先端は、カバー６１によって覆われる。
【００２４】
図３は二重ロック機構の分解側面図である。
デッドボルト２１は、駆動腕３７の先端部３７ａを凹部６３に進入させて、ダルマ軸３５の回転に伴い錠箱３１から進退される。駆動腕３７は、凹部６３の前側内壁６３ａを先端部３７ａにて押圧することによりデッドボルト２１を進出させる。また、駆動腕３７は、凹部６３の後側内壁６３ｂを先端部３７ａにて押圧することによりデッドボルト２１を後退させる。また、前側内壁６３ａ及び後側内壁６３ｂの上部には、駆動腕３７の先端部３７ａに当接してデッドボルト２１の後退及び進出を不能にする（ロックする）係合面６５ａ，６５ｂが形成されている。
【００２５】
デッドボルト２１の上方には、ストッパ６７が設けられ、ストッパ６７は錠箱内壁面３１ａに固定されたストッパ軸６９に基端が揺動自在に支持される。本実施の形態ではデッドボルト２１とクリック板４３との間に位置し、ダルマ軸３５に並設している。ストッパ６７は、ストッパバネ７１によって図２の反時計回りに付勢される。反時計回りに付勢されたストッパ６７は、凹部６３と同一側（図２の上側）に形成されたロック部７３に揺動先端６７ａを配置する。進出状態におけるデッドボルト２１は、ロック部７３にストッパ６７の揺動先端６７ａが配置されることで、後退が規制される。つまり、図２に示すように、係合面６５ａに駆動腕３７が当接するとともに、ロック部７３にストッパ６７の揺動先端６７ａが配置されて、デッドボルト２１が二重ロックされるようになっている。
【００２６】
デッドボルト２１には押し板７５が揺動自在に支持される。押し板７５は、デッドボルト２１に穿設された支持穴７７に挿入された支持ピン７９を、中央部の揺動穴８１に貫通して支持される。揺動穴８１にて支持された押し板７５は、一端部７５ａと、他端部７５ｂが交互に昇降、すなわち、シーソーのように揺動する。
【００２７】
本実施の形態では、デッドボルト２１は、底板５９ａを備え上部が開口し、後方に凹部６３の連続する断面Ｕ字状の収容部８３が形成される。この収容部８３は、デッドボルト２１を断面Ｕ字状に形成することで得ることができる。収容部８３には、押し板７５の一部分が揺動自在に収容される。押し板７５の一部分がデッドボルト２１の内部に収容されることで、その分の収容空間を錠箱内に別途確保する必要がなくなる。つまり、押し板７５の収容空間とデッドボルト２１の収容空間の共用が可能となる。また、押し板７５の殆どが収容部８３に囲われ、外部から部材を挿入することによる不正なロック解除がし難くなる。この結果、押し板７５をデッドボルト２１に収容する分、錠箱内における二重ロック機構の占有スペースを小さくできる。また、押し板７５が収容部８３にて囲えるので、防犯性を向上させることができる。
【００２８】
収容部８３に収容された押し板７５は、一端部７５ａが凹部６３に配置される。デッドボルト２１を進退させるために凹部６３に進入した駆動腕３７は、同時に、押し板７５の一端部７５ａも押下可能としている。すなわち、押し板７５は、駆動腕３７のデッドボルト後退方向の回転にて一端部７５ａが押下されるとともに、上昇する他端部７５ｂがストッパ６７を押し上げて、ストッパ６７のロック部７３に対するロックを解除するようになっている。押し板７５は、押し板バネ８５にて図２の反時計回りに付勢されている。
【００２９】
ストッパ６７における押し板７５との接触面８７には、ストッパ６７の押し上げ量を増加させるための山形状の凸部８９が下方に向かって突出して、すなわち垂設されている。押し板７５の他端部７５ｂが、ストッパ６７の接触面８７に接している状態から凸部８９に接近し、凸部８９の裾部から凸部８９の頂部に摺接する際、他端部７５ｂが単に接触面８７のみに摺接する場合に比べ、裾部から頂部までの高低差分、ストッパ６７の揺動角度が増大する。これにより、押し板７５の少ない揺動量で、ストッパ６７の押し上げ量を大きく、すなわち、ロックの解除を確実にできる。このことは、二重ロック機構のコンパクト化にも寄与する。
【００３０】
本実施の形態による施錠装置１００では、錠箱内におけるデッドボルト２１の上側の空間部に、ダルマ軸３５、ストッパ６７、及び押し板７５が配設される。すなわち、デッドボルト２１の上側の空間部に、二重ロック機構の構成部品が全て収容され、従来、デッドボルト２１の下側に必要であった、ストッパ６７を設置するための占有スペースが不要となる。これにより、デッドボルト２１の下側の空間部を他部材の収容空間に有効利用することができる。
【００３１】
次に、上記のように構成された施錠装置１００の作用を説明する。
図４は施錠状態を（ａ）、解錠開始状態を（ｂ）に表した動作説明図である。
デッドボルト２１が進出した施錠状態では、図４（ａ）に示すように、駆動腕３７の先端部３７ａが係合面６５ａに当接するとともに、ストッパ６７の揺動先端６７ａがロック部７３に配置され、デッドボルト２１が二重ロックされる。図４（ｂ）に示すように、シリンダ錠２９等による解錠操作にて、ダルマ軸３５が図中反時計回りに回転されると、まず、駆動腕３７の先端部３７ａが押し板７５の一端部７５ａを押下する。これにより、押し板７５の他端部７５ｂが上昇し、ストッパ６７の凸部８９を押圧し、ストッパ６７を押し上げることでロック部７３に対するロックを解除する。
【００３２】
図５はデッドボルトの後退開始状態を（ａ）、デッドボルトの後退途中状態を（ｂ）に表した動作説明図である。
図５（ａ）に示すように、駆動腕３７は、係合面６５ａから離れると、凹部６３に進入し、押し板７５の一端部７５ａを凹部６３の底部まで押下する。さらに、ダルマ軸３５が解錠方向に回転すると、図５（ｂ）に示すように、駆動腕３７の先端部３７ａが凹部６３の後側内壁６３ｂを押圧し、デッドボルト２１を後退させ始める。
【００３３】
図６はデッドボルトの後退完了直前状態を（ａ）、デッドボルトの後退完了（解錠）状態を（ｂ）に表した動作説明図である。
図６（ａ）に示すように、後側内壁６３ｂが駆動腕３７によって押圧され、駆動腕３７が規制軸５１に接近すると、デッドボルト２１は殆どが錠箱３１内に収容される。図６（ｂ）に示すように、駆動腕３７の基部が規制軸５１に当接すると、ダルマ軸３５の回転が規制される。これにより、駆動腕３７の先端部３７ａが、デッドボルト２１の係合面６５ｂに当接することで、デッドボルト２１の進出が規制（ロック）され、解錠が完了する。
【００３４】
図７は施錠開始状態を（ａ）、デッドボルトの進出開始状態を（ｂ）に表した動作説明図である。
次に、解錠状態から施錠状態への移行について説明する。図７（ａ）に示すように、シリンダ錠２９等の施錠操作にてダルマ軸３５が図中時計回りである施錠方向へ回転されると、駆動腕３７がデッドボルト２１の係合面６５ａを押圧する。ダルマ軸３５がさらに回転されると、駆動腕３７が凹部６３の前側内壁６３ａを押圧してデッドボルト２１を進出させる。このとき、押し板７５は、一端部７５ａが凹部６３の底部まで押下された状態となる。
【００３５】
図８は施錠時におけるストッパ押し上げ開始状態を（ａ）、ストッパ押し上げ完了状態を（ｂ）に表した動作説明図である。
図８（ａ）に示すように、前側内壁６３ａが駆動腕３７にて押圧され、デッドボルト２１の進出が進むと、上昇した押し板７５の他端部７５ｂがストッパ６７の凸部８９に接触する。図８（ｂ）に示すように、駆動腕３７の先端部３７ａが係合面６５ａを押圧し始めると、他端部７５ｂが凸部８９を押し上げ、ストッパ６７を、デッドボルト２１との干渉位置から退避させる。
【００３６】
図９はデッドボルト進出完了直前、及びストッパのロック直前状態の動作説明図である。
デッドボルト２１がさらに進出されると、押し板７５の他端部７５ｂが、凸部８９の頂部から裾部へ向かってスライドし、これに伴ってストッパ６７がストッパバネ７１の付勢力によって反時計回りに回転され、揺動先端６７ａがロック部７３に接近し始める。駆動腕３７が規制軸４９に当接すると、デッドボルト２１の進出が完了し、図４（ａ）に示したように、駆動腕３７の先端部３７ａが係合面６５ａに当接するとともに、ストッパ６７の揺動先端６７ａがロック部７３に配置され、デッドボルト２１が二重ロックされる。
【００３７】
施錠装置１００では、従来、デッドボルト２１を挟み、ダルマ軸３５の反対側に配置されていたストッパ６７が、デッドボルト２１とダルマ軸３５の間に配置され、さらに、デッドボルト２１に対するストッパ６７のロックを解除する押し板７５をデッドボルト２１に設けたので、複数の構成部品がコンパクトに収容可能となる。すなわち揺動角度を得るために必要であった従来のような長尺なストッパではなく、短尺でコンパクトに構成され、またストッパ６７を確実に揺動できる押し板７５とストッパ６７の凸部８９によりデッドボルト２１の動作時に干渉を起こすことがない。また、従来の連結手段の代わりとなって動作する押し板７５が小さくなり、デッドボルト２１を跨ぐ必要がないので、外部からの部材の挿入による不正なロック解除の危険にさらされる虞が低減する。
【００３８】
したがって、上記施錠装置１００によれば、駆動腕３７を有したダルマ軸３５と、駆動腕３７の先端部３７ａを凹部６３に進入させて進退するデッドボルト２１と、ロック部７３に揺動先端６７ａを配置してデッドボルト２１の後退を規制するストッパ６７と、駆動腕３７の回転にて他端部７５ｂが上昇してストッパ６７のロックを解除する押し板７５とを備えたので、複数の構成部品をコンパクトに収容でき、錠箱内における二重ロック機構を設置するための空間を省スペース化できる。また、二重ロックの解除をし難くして、防犯性を高めることができる。
【００３９】
なお、上記実施の形態では、従来、デッドボルト２１の下方空間に設けられていたストッパ６７をデッドボルト２１の上方空間に設けたが、従来同様のストッパを、下方空間に追加して設けてもよい。このような構成とすることで、下方空間は省スペース化されないが、複数のストッパによるより確実なロックが行え、防犯性はさらに向上させることができる。
【図面の簡単な説明】
【００４０】
【図１】本発明に係る施錠装置の設けられた扉の外観図である。
【図２】図１に示した施錠装置の内部側面図である。
【図３】二重ロック機構の分解側面図である。
【図４】施錠状態を（ａ）、解錠開始状態を（ｂ）に表した動作説明図である。
【図５】デッドボルトの後退開始状態を（ａ）、デッドボルトの後退途中状態を（ｂ）に表した動作説明図である。
【図６】デッドボルトの後退完了直前状態を（ａ）、デッドボルトの後退完了（解錠）状態を（ｂ）に表した動作説明図である。
【図７】施錠開始状態を（ａ）、デッドボルトの進出開始状態を（ｂ）に表した動作説明図である。
【図８】施錠時におけるストッパ押し上げ開始状態を（ａ）、ストッパ押し上げ完了状態を（ｂ）に表した動作説明図である。
【図９】デッドボルト進出完了直前、及びストッパのロック直前状態の動作説明図である。
【符号の説明】
【００４１】
１５…フロント板
２１…デッドボルト
２５…扉面（屋外面）
３１…錠箱
３５…ダルマ軸
３７…駆動腕
３７ａ…駆動腕の先端部
６３…凹部
６７…ストッパ
６７ａ…揺動先端
７３…ロック部
７５…押し板
７５ａ…一端部
７５ｂ…他端部
８３…断面Ｕ字状の収容部
８７…押し板との接触面
８９…凸部
１００…施錠装置
Ｇ…回転中心
【図１】
2010144421.tif 000003
【図２】
2010144421.tif 000004
【図３】
2010144421.tif 000005
【図４】
2010144421.tif 000006
【図５】
2010144421.tif 000007
【図６】
2010144421.tif 000008
【図７】
2010144421.tif 000009
【図８】
2010144421.tif 000010
【図９】
2010144421.tif 000011